(57)【要約】【課題】効率よく貯留量を確保できる雨水貯留浸透施設を提供する。【解決手段】法面８２を形成して開削された地盤８１中に貯留浸透槽１が埋設されて、雨水を貯留又は浸透させる雨水貯留浸透施設Ｓである。  そして、貯留浸透槽１として、下方に設置される下部貯留浸透槽２と、下部貯留浸透槽２の側面２９と法面８２の間の埋戻土７の上に設置される張出部３１を有する上部貯留浸透槽３と、を備えている。【選択図】図１
2010031541.tif 000002
【特許請求の範囲】
【請求項１】
法面を形成して開削された地盤中に貯留浸透槽が埋設されて、雨水を貯留又は浸透させる雨水貯留浸透施設であって、
前記貯留浸透槽として、下方に設置される下部貯留浸透槽と、前記下部貯留浸透槽の側面と前記法面の間の埋戻土の上に設置される張出部を有する上部貯留浸透槽と、を備えることを特徴とする雨水貯留浸透施設。
【請求項２】
前記張出部の下には、前記上部貯留浸透槽に雨水とともに流入する夾雑物を収集する受枠部が設置されることを特徴とする請求項１に記載の雨水貯留浸透施設。
【請求項３】
前記上部貯留浸透槽は、複数の充填部材を組立てることによって構成されるとともに、それぞれの前記充填部材には前記受枠部が設置される位置に向かって雨水を誘導する傾斜部が設けられることを特徴とする請求項２に記載の雨水貯留浸透施設。
【請求項４】
前記上部貯留浸透槽は樹脂によって形成されるとともに、前記下部貯留浸透槽は鉄筋コンクリートによって形成されることを特徴とする請求項１乃至請求項３のいずれか一項に記載の雨水貯留浸透施設。
【請求項５】
法面を形成して開削された地盤中に貯留浸透槽が埋設されて、雨水を貯留又は浸透させる雨水貯留浸透施設の設置方法であって、
法面を形成して地盤を開削する開削工程と、開削された地盤に下部貯留浸透槽を設置する下部設置工程と、前記下部貯留浸透槽の側面と前記法面の間を埋め戻す下部埋戻工程と、埋戻土の上に設置される張出部を有する上部貯留浸透槽を前記下部貯留浸透槽の上に設置する上部設置工程と、前記上部貯留浸透槽の側方及び上方を埋め戻す上部埋戻工程と、を備えることを特徴とする雨水貯留浸透施設の設置方法。
【発明の詳細な説明】
【技術分野】
【０００１】
本発明は、雨水を貯留又は浸透させる雨水貯留浸透施設及び雨水貯留浸透施設の設置方法に関するものである。
【背景技術】
【０００２】
近年、都市化が急激に進んだことで、舗装の面積が増加したため、雨水が地中に浸み込まずに、一気に河川に流れ込むようになっている。
【０００３】
このため、都市型の洪水が起こる反面、普段は河川の流量が少なく、水質が悪化し、地下水が枯れるなどの問題が生じている。
【０００４】
また、地下水の低下によって渇水の危険性が高まり、緑地や街路樹などの潤いが失われ、気温の上昇や地中の乾燥化などが生じて、都市の気候変化をもたらすことも明らかになってきている。
【０００５】
このような問題を解決するために、雨水を貯留させる技術や雨水を地中に浸透させる技術が開発されている。
【０００６】
例えば、特許文献１には、貯留槽を主として鉛直荷重を支持する第１貯留部と、主として水平荷重を支持する第２貯留部と、を備える雨水貯留浸透施設が開示されている。
【０００７】
この構成によれば、鉛直荷重と水平荷重を分担して支持できるため、第１貯留部は水平荷重に対する強度を考慮することなく貯留効率を上げることができるうえに、第２貯留部は水平荷重に対する強度を充分確保して深埋設できるようになる。
【特許文献１】特開２００７−３１５０２６号公報
【発明の開示】
【発明が解決しようとする課題】
【０００８】
しかしながら、特許文献１の構成では、法面を形成して開削された地盤中に貯留浸透槽を埋設する場合に、地表近くで法面と貯留浸透槽の側面との間隔が広くなってしまい、効率よく貯留量を確保することができなかった。
【０００９】
そこで、本発明は、効率よく貯留量を確保できる雨水貯留浸透施設と、雨水貯留浸透施設の設置方法と、を提供することを目的としている。
【課題を解決するための手段】
【００１０】
前記目的を達成するために、本発明の雨水貯留浸透施設は、法面を形成して開削された地盤中に貯留浸透槽が埋設されて、雨水を貯留又は浸透させる雨水貯留浸透施設であって、前記貯留浸透槽として、下方に設置される下部貯留浸透槽と、前記下部貯留浸透槽の側面と前記法面の間の埋戻土の上に設置される張出部を有する上部貯留浸透槽と、を備えることを特徴とする。
【００１１】
また、前記張出部の下には、前記上部貯留浸透槽に雨水とともに流入する夾雑物を収集する受枠部が設置されることが好ましい。
【００１２】
さらに、前記上部貯留浸透槽は、複数の充填部材を組立てることによって構成されるとともに、それぞれの前記充填部材には前記受枠部が設置される位置に向かって雨水を誘導する傾斜部が設けられることが好ましい。
【００１３】
そして、前記上部貯留浸透槽は樹脂によって形成されるとともに、前記下部貯留浸透槽は鉄筋コンクリートによって形成されることが好ましい。
【００１４】
また、本発明の雨水貯留浸透施設の設置方法は、法面を形成して開削された地盤中に貯留浸透槽が埋設されて、雨水を貯留又は浸透させる雨水貯留浸透施設の設置方法であって、法面を形成して地盤を開削する開削工程と、開削された地盤に下部貯留浸透槽を設置する下部設置工程と、前記下部貯留浸透槽の側面と前記法面の間を埋め戻す下部埋戻工程と、埋戻土の上に設置される張出部を有する上部貯留浸透槽を前記下部貯留浸透槽の上に設置する上部設置工程と、前記上部貯留浸透槽の側方及び上方を埋め戻す上部埋戻工程と、を備えることを特徴とする。
【発明の効果】
【００１５】
このように、本発明の雨水貯留浸透施設は、貯留浸透槽として、下方に設置される下部貯留浸透槽と、下部貯留浸透槽の側面と法面の間の埋戻土の上に設置される張出部を有する上部貯留浸透槽と、を備えている。
【００１６】
したがって、法面の傾斜に合わせるように上部貯留浸透槽を設置することで、地表近くでも法面と上部貯留浸透槽の側面との間隔が広くならないため、効率よく貯留量を確保できる。
【００１７】
また、張出部の下には、上部貯留浸透槽に雨水とともに流入する夾雑物を収集する受枠部が設置されることで、浅い位置で容易に夾雑物を除去できるうえに、下部貯留浸透槽に夾雑物が流入することを防止できる。
【００１８】
さらに、上部貯留浸透槽のそれぞれの充填部材には受枠部が設置される位置に向かって雨水を誘導する傾斜部が設けられることで、雨水に混入した夾雑物を受枠部に集めて容易に除去することができる。
【００１９】
そして、上部貯留浸透槽は樹脂によって形成されるとともに、下部貯留浸透槽は鉄筋コンクリートによって形成されることで、土圧に対して所定の強度を保持しつつ、必要な貯留量を確保することができる。
【００２０】
また、本発明の雨水貯留浸透施設の設置方法は、開削工程と、下部設置工程と、下部貯留浸透槽の側面と法面の間を埋め戻す下部埋戻工程と、埋戻土の上に設置される張出部を有する上部貯留浸透槽を下部貯留浸透槽の上に設置する上部設置工程と、上部埋戻工程と、を備えることを特徴とする。
【００２１】
したがって、簡単な設置方法によって上部貯留浸透槽を設置して、地表近くでも法面と上部貯留浸透槽の側面との間隔が広くならず、効率よく貯留量を確保できる雨水貯留浸透施設を形成することができる。
【発明を実施するための最良の形態】
【００２２】
以下、本発明の最良の実施の形態について図面を参照して説明する。
【００２３】
まず、図１を用いて本実施の形態の雨水貯留浸透施設Ｓの全体構成を説明する。
【００２４】
本実施の形態の雨水貯留浸透施設Ｓは、雨水を貯留又は浸透させるために公共地や私有地の地下に埋設されるもので、図１に示すように、地盤８１を開削して形成された掘削空間の内部に、下方に設置される下部貯留浸透槽２と、この下部貯留浸透槽２の上に載せるように設置される上部貯留浸透槽３と、を備えて設置されている。
【００２５】
この掘削空間は、先端を切り落とした下向きの角錘状に形成されるもので、地盤８１の種類や掘削深さなどに応じて勾配が決められた切土の法面８２と、平面状に成形された底面８３と、によって囲まれて構成されている。
【００２６】
このように、鋼矢板などの土留めをしないで法面８２を形成して掘削すると、掘削深さが深くなるにつれて、平面に投影した掘削面積が広くなるため、都市部では用いられることが少なくなっているが、ある程度の余裕幅がある場合には施工の簡便さや経済性を考慮して採用されることが多い。
【００２７】
また、下部貯留浸透槽２は、鉄筋コンクリートによって形成されるコンクリート部材２０を連結して構成されるもので、掘削空間の底面８３の上に敷設された砕石８４の上に並べて設置されている。
【００２８】
このコンクリート部材２０は、図２に示すように、プレキャストコンクリート製の梁部材２１、梁部材２１を支持する柱部材２２、柱部材２２を支持する柱台部材２６、側面に配置される壁部材２３、上面に配置される頂版部材２４、下面に配置される現場打ちの底版部材２５、などを備えている。
【００２９】
そして、本実施の形態の上部貯留浸透槽３は、図１，３に示すように、樹脂によって形成される充填部材としての樹脂充填部材３０を上下左右に組み合わせて、全体を遮水シートや防水シートで覆うことで構成されるもので、下部貯留浸透槽２の外側に張り出している張出部３１と、下部貯留浸透槽２の上に載置される中央部３８と、を備えている。
【００３０】
この充填部材としての樹脂充填部材３０は、図３，４に示すように、底版部３６、傾斜部３２、天板部３３が、三角柱状の連結片３４，３５，・・・を介して重ね合わされて骨格が形成されている。
【００３１】
これらの底版部３６、傾斜部３２、天板部３３は、合成樹脂によって形成されるもので、所定の貯留空間を有するとともに所定の強度を有するように、縦横にリブが設けられて補強されている。
【００３２】
さらに、傾斜部３２は、平面部が傾斜した傾斜面を備えており、この傾斜面の四隅の上下には連結片３４，３５，・・・が嵌合されて上下に複数重ね合わされる。なお、図４では、説明の便宜のために傾斜部３２を１つ用いる場合を説明している。
【００３３】
そして、本実施の形態の樹脂充填部材３０の傾斜部３２は、雨水に混入した夾雑物が後述する受枠部４に受容されるように、図５に示すように、受枠部４が配置される列に向くように勾配を揃えて配置されている。
【００３４】
また、上部貯留浸透槽３の張出部３１は、例えば、図１に示すように上部貯留浸透槽３の側面に近い２列の樹脂充填部材３０，・・・によって形成されるもので、下部貯留浸透槽２の側面２９と法面８２との間を埋め戻した埋戻土７の上に砕石８５を介して載置されている。
【００３５】
したがって、この張出部３１は、中央部３８から側方に突出することで、中央部３８の側方の台形状の空間を埋めるように配置されることとなる。
【００３６】
さらに、この張出部３１の下には、流入した雨水に混入した砂や泥や木の葉などの夾雑物を受容する受枠部４が設置されている。
【００３７】
この受枠部４は、樹脂などによってコ字断面の長尺状に形成されるもので、２列の樹脂充填部材３０のうちの内側の樹脂充填部材３０の下面に接して、埋戻土７の上に砕石８５を介して載置されている。
【００３８】
また、この下部貯留浸透槽２及び上部貯留浸透槽３には、図１，５に示すように、所定の位置に点検口５，５，５や流入口６１や流出口６２が設けられている。
【００３９】
この点検口５は、樹脂やコンクリートなどによって蓋を有する円筒状に形成されるもので、図１に示すように、地表面から上部貯留浸透槽３を貫通して下部貯留浸透槽２まで挿入されるものと、地表面から受枠部４の最上流及び最下流まで挿入されるものとがある。
【００４０】
したがって、流入口６１から流入した雨水は、流出口６２を通じて下水に流れ込んだり、貯留浸透槽１の側面や底面から地盤８１中に浸透したりする一方で、雨水に混入した夾雑物は、水位の低下とともに傾斜部３２，・・・を流下して受枠部４に多く貯留されることとなる。
【００４１】
次に、本実施の形態の雨水貯留浸透施設Ｓの設置方法について、図６（ａ）〜（ｄ）を用いて説明する。
【００４２】
まず、図６（ａ）を用いて、法面８２を形成して地盤８１を開削する開削工程と、開削された地盤８１に下部貯留浸透槽２を設置する下部設置工程と、について説明する。
【００４３】
開削工程では、バックホウなどの重機によって所定の勾配の法面８２を形成しつつ地盤８１を掘り下げることで、先端を切り落とした下向きの角錘状の掘削空間を形成する。
【００４４】
下部設置工程では、掘削空間の底面８３に砕石８４を敷設し、この砕石８４の上に別工程で製作されたコンクリート部材２０を設置し、底版部材２５を現場打設コンクリートによって形成する。
【００４５】
つづいて、図６（ｂ）（ｃ）を用いて、下部貯留浸透槽２の側面２９と法面８２の間を埋め戻す下部埋戻工程と、埋戻土７の上に設置される張出部３１を有する上部貯留浸透槽３を下部貯留浸透槽２の上に設置する上部設置工程と、について説明する。
【００４６】
下部埋戻工程では、下部貯留浸透槽２の側面２９と法面８２の間の台形断面の隙間を下部貯留浸透槽２の上面よりやや低い位置まで埋め戻した上で、上部貯留浸透槽３の張出部３１の設置予定箇所に、砕石８５及び受枠部４を下部貯留浸透槽２の上面と同じ位置まで敷設する。なお、この際、下部貯留浸透槽２の頂版部材２４に設けた孔に点検口５を立設しておく。
【００４７】
上部設置工程では、外周近傍に敷設した砕石８５や受枠部４の上に上部貯留浸透槽３の張出部３１を載置するとともに、砕石８５と同じ高さの下部貯留浸透槽２の上に上部貯留浸透槽３の中央部３８を載置する。
【００４８】
最後に、図６（ｄ）を用いて、上部貯留浸透槽３の側方及び上方を埋め戻す上部埋戻工程について説明する。
【００４９】
上部埋戻工程では、上部貯留浸透槽３の張出部３１の側方を埋め戻し、さらに上部貯留浸透槽３の上方を地表面と同じ高さになるように埋め戻す。
【００５０】
上記のように、開削工程、下部設置工程、下部埋戻工程、上部設置工程、上部埋戻工程の各工程を順に実施することで、雨水貯留浸透施設Ｓの設置が完了する。
【００５１】
次に、本実施の形態の雨水貯留浸透施設Ｓの作用について説明する。
【００５２】
このように、本実施の形態の雨水貯留浸透施設Ｓは、貯留浸透槽１として、下方に設置される下部貯留浸透槽２と、下部貯留浸透槽２の側面２９と法面８２の間の埋戻土７の上に設置される張出部３１を有する上部貯留浸透槽３と、を備えている。
【００５３】
したがって、法面８２の傾斜に合わせるように上部貯留浸透槽３を設置することで、地表近くでも法面８２と上部貯留浸透槽３の側面との間隔が広くならないため、効率よく貯留量を確保できる。
【００５４】
すなわち、法面８２を形成して掘削すると、掘削深さが深くなるにつれて法面の長さが長くなり、仮に掘削空間の底面８３から鉛直に貯留浸透槽を構築した場合、地表近くでは法肩から貯留浸透槽までの距離が大きくなり、貯留容量に寄与しない無駄な掘削空間が生じることになる。
【００５５】
そこで、下部貯留浸透槽２を設置した後に、一旦、下部貯留浸透槽２の側方を埋め戻し、この埋戻土７の上に上部貯留浸透槽３の張出部３１を設置することで法面８２の上方に位置する掘削空間を有効に利用することができる。
【００５６】
逆にいうと、同一の掘削空間の体積（掘削土量）で考えた場合には、より容量の大きい雨水貯留浸透施設Ｓを構築することができる。
【００５７】
さらに、この場合、上部貯留浸透槽３が複数の樹脂充填部材３０によって構築されていれば、人力によって組立てることができるため、仮設構造物を必要とせず上部貯留浸透槽３をきわめて容易に設置でき、特に好ましい。
【００５８】
加えて、上部貯留浸透槽３の張出部３１が樹脂で形成されていれば、埋戻土７に載置される上載荷重が小さくなるため、この部分に沈下が生じることを抑制できる。
【００５９】
また、張出部３１の下には、上部貯留浸透槽３に雨水とともに流入する夾雑物を収集する受枠部４が設置されることで、浅い位置で容易に夾雑物を除去できるうえに、下部貯留浸透槽２に夾雑物が流入することを防止できる。
【００６０】
加えて、浅い位置に受枠部４を設置することで、落差によって雨水の流速が大きくなって、夾雑物が広く分散してしまうことがなくなるため、より受枠部４に夾雑物を集めやすくなる。
【００６１】
さらに、浅い位置に受枠部４を設置することで、地表から受枠部４までの距離が短くなるため、溜まった夾雑物を回収するための設備や労力をより簡易なものにすることができる。
【００６２】
そして、受枠部４は埋戻土７の上に設置されるため、受枠部４に大量の夾雑物が溜まった場合でも、この夾雑物の重量は直接には埋戻土７に作用するだけであるから、貯留浸透槽１に大きな負担をかけることもない。
【００６３】
また、上部貯留浸透槽３のそれぞれの充填部材としての樹脂充填部材３０には受枠部４が設置される位置に向かって雨水を誘導する傾斜部３２が設けられることで、雨水に混入した夾雑物を受枠部４に集めて容易に除去することができる。
【００６４】
すなわち、傾斜部３２によって雨水の流れを制御して受枠部４方向に流れるようにすれば、雨水に混入した夾雑物も雨水の流れとともに受枠部４に流れ込み、受枠部４に貯留されることになる。
【００６５】
そして、上部貯留浸透槽３は樹脂によって形成されるとともに、下部貯留浸透槽２は鉄筋コンクリートによって形成されることで、土圧に対して所定の強度を保持しつつ、必要な貯留量を確保することができる。
【００６６】
また、本実施の形態の雨水貯留浸透施設Ｓの設置方法は、開削工程と、下部設置工程と、下部貯留浸透槽２の側面２９と法面８２の間を埋め戻す下部埋戻工程と、埋戻土７の上に設置される張出部３１を有する上部貯留浸透槽３を下部貯留浸透槽２の上に設置する上部設置工程と、上部埋戻工程と、を備えることを特徴とする。
【００６７】
したがって、簡単な設置方法によって上部貯留浸透槽３を設置して、地表近くでも法面８２と上部貯留浸透槽３の側面との間隔が広くならず、効率よく貯留量を確保できる雨水貯留浸透施設Ｓを形成することができる。
【００６８】
すなわち、法面８２上方の掘削空間を有効に利用するための張出部３１は、下部貯留浸透槽２の側方を埋め戻した後に、この埋戻土７の上に載置するという簡易な方法によって構築できる。
【実施例】
【００６９】
以下、図７を用いて、前記実施の形態とは別の形態の雨水貯留浸透施設Ｓ１について説明する。
【００７０】
なお、前記実施の形態で説明した内容と同一乃至均等な部分の説明については同一符号を付して説明する。
【００７１】
まず、構成から説明すると、本実施例の雨水貯留浸透施設Ｓ１は、地盤８１を開削して形成された掘削空間の内部に、下部貯留浸透槽２と上部貯留浸透槽３とを備えて設置されている。
【００７２】
そして、本実施例の下部貯留浸透槽２は、図７に示すように、樹脂によって形成される充填部材としての樹脂充填部材３０を上下左右に組み合わせて、全体を遮水シートや防水シートで覆うことで構成される。
【００７３】
この充填部材としての樹脂充填部材３０は、前記実施の形態の図３，４に示すように、底版部３６、傾斜部３２、天板部３３が、三角柱状の連結片３４，３５，・・・を介して重ね合わされて形成されている。
【００７４】
次に、作用について説明すると、本実施例の雨水貯留浸透施設Ｓ１は、下部貯留浸透槽２及び上部貯留浸透槽３の両方が充填部材としての樹脂充填部材３０を組み合わせて構築されている。
【００７５】
したがって、掘削深さがそれ程深くなく、土圧も大きくない場合には、さらに容易に貯留量の大きい雨水貯留浸透施設Ｓ１を構築することができる。
【００７６】
なお、この他の構成および作用効果については、前記実施の形態と略同様であるため説明を省略する。
【００７７】
以上、図面を参照して、本発明の最良の実施の形態及び実施例を詳述してきたが、具体的な構成は、この実施の形態又は実施例に限らず、本発明の要旨を逸脱しない程度の設計的変更は、本発明に含まれる。
【００７８】
例えば、前記実施の形態では、鉄筋コンクリート製の下部貯留浸透槽２が貯留槽として用いられる場合について説明したが、これに限定されるものではなく、側面や底面に孔を開口させて浸透槽として用いられるものであってもよい。
【００７９】
また、前記実施の形態及び実施例では、下部貯留浸透槽２と上部貯留浸透槽３の２段構成の貯留浸透槽１について説明したが、これに限定されるものではなく、３段以上の構成であってもよい。
【００８０】
さらに、前記実施の形態では、受枠部４が１列のみ設置される場合について説明したが、これに限定されるものではなく、複数の列に受枠部４を設置するものであってもよい。
【図面の簡単な説明】
【００８１】
【図１】本発明の最良の実施の形態の雨水貯留浸透施設の構成を説明する断面図である。
【図２】下部貯留浸透槽の構成を説明する説明図である。
【図３】上部貯留浸透槽の構成を説明する説明図である。
【図４】上部貯留浸透槽の充填部材の構成を分解して説明する分解斜視図である。
【図５】上部貯留浸透槽の充填部材の傾斜部の向きを説明する平面図である。
【図６】本発明の最良の実施の形態の雨水貯留浸透施設の設置方法を説明する施工順序図である。
【図７】実施例の雨水貯留浸透施設の構成を説明する断面図である。
【符号の説明】
【００８２】
Ｓ          雨水貯留浸透施設
１          貯留浸透槽
２          下部貯留浸透槽
２９        側面
３          上部貯留浸透槽
３０        樹脂充填部材（充填部材）
３１        張出部
３２        傾斜部
４          受枠部
７          埋戻土
８１        地盤
８２        法面
【図１】
2010031541.tif 000003
【図２】
2010031541.tif 000004
【図３】
2010031541.tif 000005
【図４】
2010031541.tif 000006
【図５】
2010031541.tif 000007
【図６】
2010031541.tif 000008
【図７】
2010031541.tif 000009